(57)【要約】      （修正有）【課題】ティーポットに用いる茶漉し付吐出し口部材に関し、吐出し管の短いティーポットに取り付けた場合においても液切れが良く、且つ茶葉を濾す効果も有する茶漉し付吐出し口部材を提供する。【解決手段】流路２とフィルタ３を有する茶漉し付吐出し口部材１であり、流路２及びフィルタ３は複数のクシ歯４からなり、フィルタ３部分となるクシ歯４の一方の端部にはリブ５を有する。本部材１は、クシ歯４とリブ５からなるフィルタ３で茶葉を堰き止め、抽出した茶のみがフィルタ３と一体化した流路２を通過して、外部に流出する。つまり、クシ歯４のうちフィルタ３の役割をするリブ５形成部分と反対側の端部が吐出し口となる。【選択図】図１
0003210058.tif 000002
【実用新案登録請求の範囲】
【請求項１】
流路とフィルタを有する茶漉し付吐出し口部材であり、流路及びフィルタは複数のクシ歯からなり、前記フィルタ部分となるクシ歯の一方の端部にはリブを有することを特徴とする茶漉し付吐出し口部材。
【請求項２】
隣り合う前記クシ歯同士の間隔が０．５〜３ｍｍであることを特徴とする、請求項１に記載の茶漉し付吐出し口部材。
【請求項３】
前記クシ歯の配列が放射状であることを特徴とする、請求項１又は２に記載の茶漉し付吐出し口部材。
【請求項４】
前記クシ歯及びリブはシリコン製であることを特徴とする請求項１〜３のいずれか１項記載の茶漉し付吐出し口部材。
【請求項５】
前記リブは外周面がティーポットの吐出し管の内壁に当接することを特徴とする請求項１〜４のいずれか１項記載の茶漉し付吐出し口部材。
【請求項６】
前記フィルタの外径が、取り付けるティーポットの吐出し管の内径より大きいことを特徴とする請求項１〜５のいずれか１項に記載の茶漉し付吐出し口部材。
【請求項７】
前記クシ歯の外周部に１つ又は複数のフランジを有し、前記フランジと前記クシ歯との間に貫通孔を備え、該貫通孔は前記流路の一部を構成することを特徴とする請求項１〜６いずれか１項に記載の茶漉し付吐出し口部材。
【請求項８】
前記フランジは、ティーポットの吐出し管の吐出し口端面と当接する外部フランジと、吐出し管と内接する内部フランジを有することを特徴とする請求項７記載の茶漉し付吐出し口部材。
【請求項９】
前記フランジは、外部フランジと内部フランジが一体となった複合フランジであることを特徴とする請求項８記載の茶漉し付吐出し口部材。
【請求項１０】
前記フランジは複数の内部フランジを有することを特徴とする請求項８又は９に記載の茶漉し付吐出し口部材。
【請求項１１】
前記クシ歯の吐出し側に蓋部材を有することを特徴とする請求項１〜１０のいずれか１項記載の茶漉し付吐出し口部材。
【請求項１２】
請求項１〜１１にいずれか１項に記載の茶漉し付吐出し口部材を備えるティーポット。
【考案の詳細な説明】
【技術分野】
【０００１】
本考案は、紅茶等の抽出に用いるティーポットに取り付ける茶漉し付吐出し口部材に関する考案である。
【背景技術】
【０００２】
紅茶等を茶葉から入れる際に用いるティーポットには、ティーバッグやストレーナーのように茶葉を袋や網で包んだ状態のものを用いて入れる場合を除き、茶漉しが必要となる。特に茶葉をジャンピング（お湯の対流が起きて茶葉が浮き沈みを繰り返すことにより、茶葉の丸まった葉が開くため茶葉本来の味と香りがお湯に溶けだすこと）させる場合は、特許文献１のように、メッシュ部材により構成されたバスケット型の茶漉しでは十分にジャンピングができない。そのため、茶漉しとしては特許文献２のようにティーポットの注ぎ口付近にメッシュ状の網を取り付けたものなど、茶葉のジャンピングを阻害しない位置や形状のものが用いられている。
【先行技術文献】
【特許文献】
【０００３】
【特許文献１】特開平８−６６３１２号公報
【特許文献２】実用新案登録第３１６０５６３号公報
【考案の概要】
【考案が解決しようとする課題】
【０００４】
通常のティーポットには液切れをよくするために、細長い吐出し管やその先に傾斜をつけたリップなどが採用されていた。しかし、細いが故に生産性が悪かったり、容器に対して突出しているため破損しやすかったりする等の問題もあった。そのため、細長い吐出し管でないティーポットの方が効率は良いが、液切れがよい構造は欠かせないポイントであった。また、吐出し管の長さが短くなると、茶こしを取り付けるスペースも狭くなるため、茶葉のジャンピングを阻害しないようにするため、液切れをよくするための吐出し口部材を用いる場合、それに茶漉しの機能も取り付ける必要があった。
【課題を解決するための手段】
【０００５】
本考案の茶漉し付吐出し口部材（以下、本部材という）は、流路とフィルタを有する茶漉し付吐出し口部材であり、流路及びフィルタは複数のクシ歯からなり、前記フィルタ部分となるクシ歯の一方の端部にはリブを有することを特徴とする。
【０００６】
本部材は、隣り合う前記クシ歯同士の間隔が０．５〜３ｍｍであることを特徴とする。
【０００７】
本部材は、前記クシ歯の配列が放射状であることを特徴とする。
【０００８】
本部材は、前記クシ歯及びリブはシリコン製であることを特徴とする。
【０００９】
本部材は、前記リブは外周面がティーポットの吐出し管の内壁に当接することを特徴とする。
【００１０】
本部材は、前記フィルタの外径が、取り付けるティーポットの吐出し管の内径より大きいことを特徴とする。
【００１１】
本部材は、前記クシ歯の外周部に１つ又は複数のフランジを有し、前記フランジと前記クシ歯との間に貫通孔を備え、該貫通孔は前記流路の一部を構成することを特徴とする。
【００１２】
本部材は、前記フランジは、ティーポットの吐出し管の吐出し口端面と当接する外部フランジと、吐出し管と内接する内部フランジを有することを特徴とする。
【００１３】
本部材は、前記フランジは、外部フランジと内部フランジが一体となった複合フランジであることを特徴とする。
【００１４】
本部材は、前記フランジは複数の内部フランジを有することを特徴とする。
【００１５】
本部材は、前記クシ歯の吐出し側に蓋部材を有することを特徴とする。
【００１６】
本考案のティーポットは、本部材を備えるティーポットであることを特徴とする。
【考案の効果】
【００１７】
本部材によれば、吐出し管の短いティーポットに取り付けた場合であっても、注ぐ際の液切れが良く、且つ茶葉を濾す効果を得ることができる。
【図面の簡単な説明】
【００１８】
【図１】請求項１にかかる本部材の正面図一例である。
【図２】請求項１にかかる本部材のクシ歯の拡大図の一例である。
【図３】請求項７にかかる本部材の正面図一例である。
【図４】請求項７にかかる本部材の正面図一例である。
【図５】請求項８にかかる本部材の正面図一例である。
【図６】請求項１１にかかる本部材の正面図一例である。
【図７】請求項１１にかかる本部材の正面図一例である。
【図８】請求項１１にかかる本部材の正面図一例である。
【図９】本部材のフィルタ面の構造の一例である。
【図１０】本部材のＡ−Ａ´断面図の一例である。
【図１１】請求項１２にかかる本部材を取り付けたティーポットの一例である。
【考案を実施するための形態】
【００１９】
本部材１は、流路２とフィルタ３を有する茶漉し付吐出し口部材１であり、流路２及びフィルタ３は複数のクシ歯４からなり、前記フィルタ３部分となるクシ歯４の一方の端部にはリブ５を有することを特徴とする。
【００２０】
本部材１は、クシ歯４とリブ５からなるフィルタ３で茶葉を堰き止め、抽出した茶のみがフィルタ３と一体化した流路２を通過して、外部に流出する。つまり、クシ歯４のうちフィルタ３の役割をするリブ５形成部分と反対側の端部が吐出し口となる。
【００２１】
流路２及びフィルタ３を構成するクシ歯４の配置形状は特に限定しないが、中心から放射状に形成されていることが好ましい。例えば、図９に示したように本部材１を円形とした場合は、中心部に軸１１を設けたうえで、軸１１から放射状にクシ歯４を形成してもよい。隣り合うクシ歯４の間隔は、０．５〜３ｍｍ程度とする。０．５ｍｍ未満では、茶葉が詰り抽出した茶が流路２へ流れづらくなるおそれがあり、３ｍｍ超では、茶葉が抽出した茶と一緒に流路２に流れてしまうおそれがある。クシ歯４の間隔は０．８〜２ｍｍがより好ましく、１〜１．５ｍｍがより一層好ましい。なお、クシ歯４を形成する数は、前記間隔をとった上で、本部材１の大きさ及び本部材１を取り付けるティーポット１３の大きさによって適宜調整できる。
【００２２】
フィルタ３を構成するクシ歯４部分にはリブ５を有する。本部材１を取り付けるティーポット１３の吐出し管１５に内接する大きさのリブ５を形成することで、本部材１とティーポット１３との密着性を向上させ、液漏れを抑制する効果が得られる。また、フィルタ３部分の面積が大きくなるため、茶葉を堰き止める効果を向上させることもできる。リブ５を形成する範囲や長さは取り付けるティーポット１３の口部分の大きさに合わせて適宜調整することができる。なお、リブ５をクシ歯４の外周部全体に形成した形状（クシ歯４全体が吐出し管１５に当接する形状）であっても、クシ歯４外周部がリブ５と同等の役割をするため、クシ歯４より突出したリブ５を形成しなくても、同等の効果を得ることができる。
【００２３】
本部材のフィルタ３の中心に軸１１を設ける場合、軸１１に空気穴１２を形成することが好ましい。空気穴１２を形成することで、抽出した茶を流出しやすくする効果を得ることができる。また、軸１１に別で形成された蓋部材１０を差し込む形状（蓋部材１０が凸状で、軸１１内部がそれに対応した凹状）である場合は、空気穴１２があることで、蓋部材１０を差し込みやすくなる効果も得ることができる。
【００２４】
本部材のクシ歯４は、全周（３６０°）形成してもよく、一部のみ形成してもよい。３６０°形成すると、３６０°どこからでも茶を流出させることが可能となる。また、３６０°形成しない場合、例えば、円形の本部材１を用いる場合、半面のみクシ歯４を形成し、半面はクシ歯４を形成しない構成とすれば、クシ歯４を形成した部分のみから茶を流出させることができるため、吐出し口の方向を限定することができる。つまり、最低一部分にクシ歯４を有していればよく、クシ歯４を部分的に複数形成してもよい。
【００２５】
前記クシ歯４及びリブ５はシリコン製であることが好ましい。シリコン製であれば、耐熱効果を有するため熱いお湯がかかっても劣化しにくい。また、ティーポット１３の吐出し管１５との密着性を向上することができる。シリコン以外では、金属、樹脂、ゴム等を用いてもよい。
【００２６】
本部材のフィルタ３の外径は、取り付けるティーポット１３の吐出し口の内径より大きいことが好ましい。フィルタ３の外径の方が大きいと、リブ５が吐出し口内部と当接して、リブ５がまがる（傾斜する）ため、フィルタ３の面の外周が傾斜した形状になる。これにより本部材１と吐出し管１５の密着性が上がる。さらに、放射状のクシ歯４を有する場合、取り付ける前はクシ歯４同士の間隔ａと、リブ５同士の間隔ではリブ５同士の間隔の方が広くなるが、これを取り付けるとリブ５が吐出し管１５内部と当接して曲がることによって、クシ歯４同士の間隔とリブ５同士の間隔が同じになる。これにより、クシ歯４から均一に抽出した茶を流出させることができる。
【００２７】
本部材１には、前記クシ歯４の外周部に１つ又は複数のフランジ６を設けてもよい。フランジ６を設けることでティーポット１３と密着性の向上、及び液漏れ抑制の効果を得ることができる。また、ティーポット１３との密着性をより向上させるために、ティーポット１３の吐出し管１５の吐出し口端面と当接するフランジ６（外部フランジ７１）と、吐出し管１５の内部と当接するフランジ６（内部フランジ７２）を有することで、ティーポット１３との密閉性をより向上させることができる。フランジ６は複数設けてもよく、複数のフランジ６（例えば、外部フランジ７１と内部フランジ７２）が一体化した部材（複合フランジ７）を設けてもよい。また、フランジ６の素材は、シリコン製であると、ティーポット１３との密閉性を向上させることができて好ましいが、特に素材は限定しない。
【００２８】
フランジ６を形成する場合、吐出し側（クシ歯のフィルタ側と反対側の端部）と、吐出し側に最も近いフランジ６（外部フランジ７１を有する構成の場合は、外部フランジ７１を指す）の間の距離ｆが吐出し口となる。この場合、吐出し口としての機能を果たすために、吐出し側と、吐出し口最も近いフランジの間の距離ｆが１ｍｍ以上であることが好ましい。１ｍｍ未満では、吐出し口が小さいため十分な流出量を得ることができない。
【００２９】
本部材は、フランジ６を設ける場合、フランジ６と前記クシ歯４との間に貫通孔８を有する。貫通孔８は流路２の役割を有し、貫通孔８を通じて抽出した茶が吐出し側へ流出する。貫通孔８は流路２を確保できるように形成すればよく、隣り合うクシ歯同士の間隔ａと同等の大きさであれば、液漏れ及び液だれをより抑制できるため好ましい。
【００３０】
例えば、図５のように外部フランジ７１と内部フランジ７２を一体化させた複合フランジ７を形成する場合、外部フランジ７１と内部フランジ７２の間部分はクシ歯４の外周部分を壁のように覆った構成とすることが好ましい。これにより、抽出した茶が流路２から漏れることなく、吐出し口外部に流出するので、液漏れ抑制効果が高まる。なお、以上のような複合フランジ７を形成する場合、内部フランジ７２を複数形成した形状とすることで、吐出し管１５との密着性を向上させることができる。
【００３１】
本部材１は、前記クシ歯４の吐出し側に蓋（一体型）９及び／又は蓋（別部材）１０を形成してもよい。蓋（一体型）９及び／又は蓋（別部材）１０を有することで、クシ歯４の構造が吐出し側からは見えなくなるため、意匠性を向上させることができる。クシ歯の端部に一体で形成した蓋（一体型）９でもよく、別部材として蓋（別部材）１０を取り付けてもよい。また、蓋（別部材）１０とする場合、例えば図１０の断面図のように、クシ歯４の中心部に軸１１を設け、軸１１に凹部を形成し、凹部に嵌合するような凸部を有する蓋（別部材）１０を取り付けてもよい。蓋（別部材）１０はクシ歯４等と同じ素材でもよく、異なる素材であってもよい。例えば木製、磁器製、金属製、陶器製、樹脂製、シリコン製などがあげられる。
【００３２】
本部材１は、ティーポット１３の吐出し管１５に取り付けて使用する。例えば、図１１のようにガラス製のティーポット１３の吐出し管１５に取り付けることで、茶漉し兼注ぎ口の役割を担う。また、広い開口を有する吐出し管１５でも、その径に合わせた本部材１を用いることで、茶漉し兼吐出し口の役割を得ることができるため、従来の急須とは異なる、図１０のようなお湯を入れる口と吐出し口が一緒の（開口が１つしかない）ティーポット１３においても用いることが可能である。
【００３３】
本部材１を取り付けるティーポット１３は、特に限定されないが、ガラス製、金属製、陶器製、磁器製、樹脂製等、耐熱性のある素材であることが好ましい。特にガラス製であれば、シリコン部材の茶漉し付吐出し口部材との密着性が高い。また、ティーポット１３の形状も特に限定されないが、本部材１は、外部から簡単に取り外しができるため、図１１のように吐出し口とお湯を入れる口が一緒のもの（口が１つしかないもの）でもよい。また、ティーポット１３の形状も特に限定されないが、意匠性を考慮し、球状、三角フラスコのような形状、多角柱状、などの形状のものでも、吐出し管さえあれば取り付け可能である。
【００３４】
なお、本明細書の構成は、本部材の一例であって、取り付けるティーポット１３の大きさ、吐出し管１５の大きさ、及びその素材によって、本明細書の範囲及び公知の範囲で適宜調整可能である。
【符号の説明】
【００３５】
１．茶漉し付吐出し口部材（本部材）、２．流路、３．フィルタ、４．クシ歯、５．リブ、６．フランジ、７．複合フランジ、７１．外部フランジ、７２．内部フランジ、８．貫通孔、９．蓋（一体型）、１０．蓋（別部材）、１１．軸、１２．空気穴、１３．ティーポット、１４．スタンド、１５．吐出し管、ａ．隣り合うクシ歯同士の幅、ｂ．クシ歯の長さ、ｃ．クシ歯の幅、ｄ．リブの幅、ｅ．リブの長さ、ｆ．吐出し側と吐出し側に最も近いフランジの間の長さ（吐出し口）
【図１】
0003210058.tif 000003
【図２】
0003210058.tif 000004
【図３】
0003210058.tif 000005
【図４】
0003210058.tif 000006
【図５】
0003210058.tif 000007
【図６】
0003210058.tif 000008
【図７】
0003210058.tif 000009
【図８】
0003210058.tif 000010
【図９】
0003210058.tif 000011
【図１０】
0003210058.tif 000012
【図１１】
0003210058.tif 000013